(57)【特許請求の範囲】
【請求項１】
特にモータバイク乗員用または種々のスポーツの競技者用の多部品保護衣において、前記保護衣が、
転倒及び／又は障害物への衝突による外傷や骨折から使用者を保護するための保護装置と、
天然材料製又は合成材料製ジャケットの形式の保護衣とを含み、該ジャケットが、前記保護装置の動作時に引裂き張力により破断される予め設定された特定破断値を有する糸による縫合区画を有しており、また、前記保護衣が、
前記ジャケットの内壁にぴったり適合する、ジッパー等で結合された可とう性複合材料製ジレを含み、これにより前記ジャケットと前記ジレとの間に前記保護装置が内装され、前記ジレが、前記保護装置の動作時に引裂き張力による破断に耐える縫い目を有する区画を有しており、さらに前記保護衣が、
脊柱保護用の背部プロテクタを含み、該背部プロテクタが、ポリマー材料製であり、事実上剛性の構造を有し、前記ジレに設けた各中央ポケット内に配置しやすく、さらに前記保護衣が、
モータバイク乗員とエンジン付車両双方の加速センサからパルスを受信するのに適した、前記ジャケットと一体の電子ユニットと、
前記電子ユニットと前記ガス源との間の接続回路と、
前記電子ユニットが加速センサからパルスを受信する際、該電子ユニットと協働するのに適した、前記ガス源に接続されている少なくとも１個の弁とを含むことを特徴とする、モータバイク乗員用の多部品保護衣。
【請求項２】
前記保護装置が、２層の抵抗性のある織物製の、モータバイク乗員の衝突または急減速後に膨張しやすい少なくとも１個のポケットを含み、該少なくとも１個のポケットが、ジャケットの中央背部被覆域および側部被覆域に前記背部プロテクタと協働しやすいように配置されており、この配置が、前記少なくとも１個のポケットが、膨張後、前記モータバイク乗員の胸部及び腰部を事実上囲みやすいようになされている、請求項１に記載された保護衣。
【請求項３】
前記保護装置が、前記少なくとも１個のポケットに連通する少なくとも１個の高圧ガス源を含む、請求項２に記載された保護衣。
【請求項４】
前記電子ユニットが、
モータバイク乗員の視野内の位置に設けたジャケット壁上のディスプレーとを含む、請求項１に記載された保護衣。
【請求項５】
引裂き張力による予め設定した特定の破断値を有する糸で造られた前記縫合区画が、ジレの下の前記少なくとも１つのポケットに完全に重なるように整合されており、この構成によって、ポケットの突発膨張と前記縫合区画の破断とに続いて、前記少なくとも１個のポケットの完全な拡張が可能になる、請求項１に記載された保護衣。
【請求項６】
収縮状態の前記少なくとも１個のポケットが、ジャケットの前記縫合区画の下のギャザーを付けられた織物により内包され包囲され、前記織物が、多孔性で網状の構造物であることにより、膨張時に弾性的に安定化される、請求項１に記載された保護衣。
【請求項７】
前記少なくとも１個のポケットが、障害物に衝突時に、並びにポケットの膨張をトリガしてから或る一定時間後に、膨張ガスがポケット内側から流出しやすいように、予め定めた多孔度を有する材料で造られている、請求項１に記載された保護衣。
【請求項８】
前記少なくとも１個のガス源が、前記少なくとも１個のポケットと前記背部プロテクタとの間に固定配置されている、請求項１に記載された保護衣。
【請求項９】
前記少なくとも１個のガス源が、前記背部プロテクタ内に配置される場合に、前記少なくとも１個のポケットと協働しやすい着脱部材を備えた小型ボトルである、請求項８に記載された保護衣。
【請求項１０】
モータバイク乗員と車両との間の加速センサが、
慣性スイッチ機械式センサ類又は磁気保持センサ類である、請求項１に記載された保護衣。
【請求項１１】
モータバイク乗員と車両との間の前記加速センサが、各直交方向での、加速の生じた正確な方向を検知するのに適した、層形状を有する電子式、圧電式、圧電抵抗式のセンサを含む、請求項１に記載された保護衣。
【請求項１２】
前記ジャケット及び前記ジレが、導電性繊維を有する複合構造を有する繊維材料製である、請求項１に記載された保護衣。
【請求項１３】
前記ジャケット及び前記ジレの前記の繊維複合材料の内部に、ファイバ光学系又はファイバ光学センサが組み込まれている、請求項１２に記載された保護衣。
【請求項１４】
前記ファイバ光学系が、前記電子ユニットの光・電子式器械に接続されている、請求項１３に記載された保護衣。
【請求項１５】
前記ジレ及び／又は前記ジャケットの各ファイバ光学系の出入口が、ジレ及び／又はジャケットの表面に接着されたゴム製小ディスクで保護されている、請求項１４に記載された保護衣。
【請求項１６】
３個の膨張可能なポケットを含む、請求項１に記載された保護衣。
【請求項１７】
３個の圧縮ガス源を含み、該ガス源の各々が各ポケットに接続されている、請求項１６に記載された保護衣。
【発明の詳細な説明】
【０００１】
本発明は、使用者、特にモータバイク乗員又は危険なスポーツの競技者を、事故による転倒及び／又は障害物への激突時に、外傷や骨折から護るための多くの装置を有する多部品保護衣に関するものである。
より詳しく言えば、本発明は、ディスプレーを担持する電子カードまたは電子ユニットを備えたジャケットに係わり、該ユニットがジレに結合され、該ジレは、同時に、その装備により、効果的なモータバイク乗員保護用の部品及び装置の構造物を形成している。
保護衣、特にスポーツ競技者用の保護衣は、複数材料や高度技術的な特徴を有する構成部品で製造され、それによって、使用者に、必要や安全の点で、広範囲の可能な事実上多部品の構成物が提供されていることは、周知である。
【０００２】
保護衣に特定の材料を使用することに加えて、保護衣の形状や構造も、特定のスポーツに使用する場合に十分な信頼性と保護が得られるように、実現する必要がある。種々の使用者にとっての必要と共に、保護衣を使用する複数の用途により、保護衣の特別の機能特徴が決定され、それには製造者の技術革新面の係わりを伴う。加えて、例えばモータバイク乗車、登山、騎乗などの活動を行う各購買者は、常に事故対策として、また単に実際上の機能の観点からも、身の安全に関係する保護装置を購入する傾向があることは、無視すべきではない。実際、安全は、近年、これまで以上に高度な適用の研究やそうした用途への採用を通じて、調査の主な目標になり、かつ顧客にとって最も必要なものとなっている。事実、安全の分野では、「受動式」の安全用具、すなわち車両またはエンジン付車両の衝突の場合、乗員の受ける危険な結果を最小化する用具の開発が、著しく促進されていることが知られている。
【０００３】
自動車の分野では、エアバッグ付き空気式システムが広く用いられており、激突時には、ガス発生器により該エアバッグが即時膨張し、運転者と車体又はステアリンホイールとの間に挟まるようになっている。これらのエアバッグは、短期間に自動車に大量に採用されるようになり、現在では広く市場に出ている。基本的には、現在まで、自動車では普及したエアバッグは、モータバイクの分野では、実際には使用されず、広く製造もされていない。なぜなら、その種の保護用具の用い方が著しく異なるからである。事実、自動車の場合、エアバッグの保護範囲は、正面衝突による傷害を制限すること、つまり乗員が前方へ投げ出されないようにすることに限られ、このため、保護の作用方向は特定されており、唯一の課題は、エアバッグの膨張に反応する最適速度を決定し、エアバッグが比較的短時間だけ膨張を続けたのち、収縮するようにすることである。したがって、当業者には周知のように、エアバッグは、乗員の衝突時に永久変形したり弾性変形しないようにされる。弾性変形すれば、衝突後、乗員が相応に大きい力ではね返されることになろう。エンジン付車両の分野では、障害物に衝突したり事故にあったモータバイク乗員は、どの方向にも激しく投げ出される可能性があるが、エアバッグの保護動作は、エアバッグが車両構造物と一体に造られていれば、一方向にのみ、つまり、乗員を車両が衝突した障害物をとび越えて上方又は予め決めた方向へ投げ出すようにしか働くことができず、このため、その安全面の保護動作は著しく限られてくる。
【０００４】
従来技術の場合、特にモータバイク乗員の場合、転倒及び／又は障害物への衝突による外傷及び骨折に対する保護は、受動式安全用具によって行われている。ちなみに、障害物や転倒時の地面への衝突を緩衝する特別なパッドを備えたジャケットやスーツ、又は類似の保護衣が提供されてきた。これらの保護衣は、例えば、少なくとも或る程度の安全効果を発揮させる上で重要なパッドを有する数区域が設けられているため、かさ高ではなくても、まさにモータバイク乗員に要求されるような極端に素早い身体の動作が要求される用途では、実用的でないことが分かる。従来技術では、また少なくとも１つの厚みのある空気スペースを伴うジャケット状の保護衣が知られている。
【０００５】
公開特許ＵＫ１４７９７３３、ＵＫ１５８８９１９、ＵＳ４０５９８５２、ＵＳ５７８１９３６に開示された着用者の衝撃を緩衝する保護衣の場合は、保護用具が、衝撃吸収クッションを形成するようにされた１個以上の膨張可能なバッグを含んでいる。
しかし、これらの保護衣を使用した場合、幾つかの欠点が伴うため、その使用が制限されたり、不満足なものになる。特に、それらの欠点は、モータバイク乗員の胴部に着用される膨張可能なプロテクタと車両フレームとが密接に結合されていることによる。それというのも、事故による衝撃又は地面への危険な転倒は、まずモータバイク乗員と車両とが結合状態のまま、すなわち密接な結合部の機械的な破断なしに、したがって、必要な膨張可能の保護装置のトリガなしに発生することが知られているからである。このため、前記公知保護衣を使用しても、必ずしも保護は保証されない。更に、それらの公知解決策は、かさ高でも扱いにくくもないが、車両フレーム構造物と膨張可能な保護衣との間に結合コードがあるため、例えば、使用時に、モータバイク乗員のように、身体の極めて素早い動きが要求され場合には、実用性や快適性に欠け、また、それは日常のレジャー及び／又は仕事に使用する場合も同様である。
【０００６】
前述のことに照らして明らかな点は、モータバイク乗車の分野、並びに他のスポーツ、例えば登山、マウンテンバイク乗車、その他転倒を伴うスポーツや仕事の分野で使用される保護衣が、事故や危険な状況で実際に確実な保護を保証するのに、あまり適していないという点である。加えて、それらの解決策は、コードを引張るという機械式操作を必要としたり、かさ高で、起動／脱起動の操作が不便なため、使用者からは評価されていない。コードは、構造物から使用者が投出及び／又は分離された場合、ちぎり取られる恐れもあるだろう。公知解決策が工業化されない主な理由は、前記不便な点にある。
したがって、本出願人は、この問題を全体的に考え、実際に使用者を総合的に保護できる多重装置を有し、かつ公知技術の欠点を克服可能な機能上及び使用上の特徴を備えた多部品保護衣を提供する具体的な意図を有している。
【０００７】
その解決策は、完全に実現可能で工業的に生産可能な保護装置用の多部品保護衣、すなわち使用者にとって重大な不都合を生じさせる状況を除去するのに適する保護衣を設計することである。実際、独自の解決策により、現時点で高度なこの保護衣の利点により、製造者には著しい経済的、工業的利益が与えられ、使用者には確実に評価され、かつ高い保護効果を与えることができる。
したがって、本発明の目的は、次ぎのことが可能な多部品保護衣を得ることにある：すなわち
種々の危険な状況において保護されるべき人員に直接に適用される従来の用具を使用した保護具を提供すること、
永久的な傷害の危険が大きい身体区域を完全に保護すること、
普通に着用した場合に、最小の寸法と着用者の動きの自由が得られること、
もっぱら美的な観点からも、純実用的、機能的観点からも、保護具を注文に応じて製造可能であること、
実行者に事故で重大な外傷を負わせる恐れのある活動分野で実質的な技術革新を達成すること。
【０００８】
本発明の別の目的は、使用上の融通性の高い多部品保護衣を開発し、必要とあれば、部品を直接に配置、取付け、取外し、修正して、使用者向きにその形状及び／又は構造を任意に変更できるようにすることにある。
本発明の更に別の目的は、使用上の融通性の高い多部品保護衣を提供し、そうすることで、製造者と販売者双方が、種々の構成部品を別個に保管し製造することができ、それによって備品及び在庫の管理が改善され、さらに顧客サービスが向上するようにすることにある。
本発明の更に別の目的は、使用上の高い融通性を有し、実際の機能の観点から任意に変更可能な多部品保護衣を提供し、そうすることにより種々のスポーツやその他の用途に使用可能にし、その目的のために、同じ基本的な保護衣を採用して、任意に損傷部品を交換できるようにし、モータバイク乗員用の多部品保護衣全体を処分する必要がないようにすることにある。
もとより、もう１つの目的があり、それは、実質的に３品目、すなわちジャケット、ジレ、背部プロテクタから成るキットの形式の多重装置を有する多部品保護衣を得ることである。
【０００９】
したがって、本発明の基本的な課題は、簡単に実現可能な保護構造物を提供し、申し分のない安全性能を備えた信頼性の極めて高い保護衣を実現し、既述の従来技術に係わる欠点や短所が概して除去されるようにすることである。
したがって、本発明は、突発事故による転倒時に、モータバイク乗員を外傷や骨折から保護する多重装置を有する多部品保護衣を提供するものであり、該保護衣は、協働する次の部品を有している：
−取外し可能な部品及び装置を収容しやすい形状に予め設えられたジャケット形式の保護衣。該ジャケットは、引裂き張力に対し特定の破断値を有するように予め設定された糸による縫合区画を有しており、その下の織物にはギャザーを付けて織物の自由な膨張を保証して、縫合区域の下に完全に重なるように整合されたポケットが内包され、モータバイク乗員が車両から突然に転落したり危険な転倒をした時には、ポケットが突発膨張して縫合区画の糸が破断され、乗員は好ましい保護装置により包み込まれる。
−たわみ可能な複合材料製ジレ。該ジレは、ジャケット内壁に取外し可能なジッパーでぴったり結合され、前記ジレとジャケットとの間には、それらと一体に、予め定めた多孔度を有する抵抗力ある２層織物製の多くのポケット、好ましくは３個のポケットが形成され、そのうちの１個は中央の背部カバーであり、２個は側部に位置し、各ポケットは、予め選択された能動式保護装置を収容しやすいようにされ、該保護装置が、ポケット内に囲み込まれ固定的に配置されており、前記ジレの内側には、連続式のジッパーにより脊柱にまたがる中央ポケットが形成される。
−脊柱保護用の背部プロテクタ。事実上剛性の構造を有するポリマー材料製であり、ジレの内側中央ポケット、それも椎骨を被覆する突出部に配置される。
−複数の圧縮ガス源。ガスは好ましくは不活性ガスであり、ガス源は、ジレの各外側ポケットに少なくとも各１個備えられる。該ガス源又はガスボトルは、好ましくは背部プロテクタ下の保護構造物に対して、かつまた極めて好ましくはモータバイク乗員の身体に重なる予め定めた位置に配置される。それにより種々の傷害物への激突時に危険な圧迫が防止される。
−ジャケットと一体に組み合わされ、乗員と車両との間の加速センサからのパルスを受信する電子ユニット。該加速センサは、慣性スイッチ、磁気保持型機械式センサ、電子式圧電センサ、圧電抵抗センサのいずれかである。該加速センサは、好適な成層形状又は各直行方向でのその好適な２値的応用により、加速（減速？）の正確な方向を検出し、時間的な加速勾配の関数としてのみならず、衝撃方向に応じても、乗員を保護する種々の装置を起動させる。
−電子ユニットと、ジレのポケット内に配置された圧縮ガス源との間の接続回路。
−電磁弁。電磁弁は、各ガス源又はガスボトルごとに１つ設けられている。ガス源は、加速センサの少なくとも１つからパルスを受信する電子ユニットにより同時に起動される。電磁弁によりは、ガス源は、ジレのポケットの急激な膨張をトリガでき、ポケットは、車両からの突然の分離による激しい衝撃又は不意の転倒に見舞われた乗員を即時に包み込む。
−センサオーバライド装置、又は休止状況時に不必要な構造物の起動を防止するための構造物解除装置。
−ジャケット層上のディスプレー。乗員の視野内に配置され、構造物の動作状態をオンラインで表示し報知する。
【００１０】
一実施例によれば、ジャケットの予め設定された破断区画の下でギャザーを付けられ、かつジャケットに一体に縫合されて、膨張するポケットを内包可能にされた織物は、好ましくは多孔性のメッシュ状織物であるため、突発膨張を弾性的に安定化させることができる。
更に一実施例によれば、抵抗性のある織物で造られ、ジレと一体に結合された２重壁の膨張可能な前記ポケットが、予め定めた多孔度を有する少なくとも１区域を有する材料製であり、ポケット内の圧力が或る一定閾値を超えた場合にのみガスが放出され、膨張したポケットから目標量が流出し、それによりモータバイク乗員の衝突時に、前記ポケットが単に弾性変形するのみの場合のように変形後に乗員を相応の大きな力ではね返すことが防止される。
更に一実施例によれば、公知の圧縮不活性ガスを内蔵するガス源は、平衡のとれたジレの膨張可能なポケット内に配置される、着脱装置を備えた小型ボトルである。
【００１１】
更に一実施例によれば、ジャケット及びジレの形式での保護衣を形成する繊維材料は、一様な電気的連続性を有するように、或る量の導電性繊維による複合構造を有している。
更に一実施例によれば、ファイバ光学系またはファイバ光学センサが、ジャケット及びジレの繊維複合材料に組み込まれており、該ファイバ光学系が、光・電子装置に接続され、それによって光信号のモニタリング及び制御が可能である。該光信号は、ファイバ光学系内を伝送され、かつ機械的、物理的、熱的なパラメータ情報をリアルタイムで伝送する。
更に一実施例によれば、ジレ及び／又はジャケット製品のファイバ光学系出入口は、ジレ及び／又はジャケットの表面に接着された小さなゴム製ディスクで保護されており、ファイバ光学系が存在する場合の製品モデル評価時のトリミングに関係する難点が除去できる。
【００１２】
以下で本発明の一好適実施例を添付図面につき詳細に説明するが、該実施例は説明目的のもので、本発明を制限するものではない。
簡単化するため、図面では、対応する部品及び／又は同等の部品には等しい符号を付してある。同じように全体を簡明にするために、本発明による多部品保護衣と互に協働するモータバイク乗員及びモータバイクは、図示されていず、したがって、その説明は、本発明の理解のためには余計なものなので省略する。
図面を参照すると、本発明によるジャケット３は、例えば空気であるガスの発生器又はガス源１を備えており、該ガス源は、ボトル形状で、好ましくは、膨張可能な各ポケット９，１２，１５の内側の着脱部材に結合される。あるいはまた、ガス源１は、適当なベルトによって背部プロテクタ１８に取付け可能であり、該背部プロテクタは、可とう性複合材料製の平衡のとれたジレ６に対し外側の中央ポケット内に配置され、ジャケット３の一部を形成するのに適している。
【００１３】
特に後者の解決策は、実際面でも快適性の面でも大きな利点を伴い、確実に好適な実施例を構成する。
更に、ジャケット３に組み込まれた電子ユニット５のディスプレイ２が、全保護構造物の状態をオンラインで表示し、情報を供与するため、又は各キー４を介して種々のオンライン機能をプログラミングするために、乗員の視野内に備えられている。ガス発生器１の電磁弁と電子ユニット５との間には、接続ケーブル７が配設されている。
更に、電子ユニット５は、ジャケット３及び／又はモータバイク（図示せず）に配置された複数加速センサからのパルスを受信し、ガス発生器１の電磁弁への電気信号を励起し、それにより乗員が激しい衝撃または事故による転倒に見舞われた瞬間に、即時にポケット９，１２，１５の突発膨張がトリガされる。ケーブル７に代えて、ファイバ光学系又はファイバ光学センサを繊維複合材料の内側の予め定められた区域に配置するのが好ましい場合もある。
【００１４】
例えば、本発明の前記好適実施例によれば、繊維複合材料はポリマー母材の炭素繊維成層物であり、該成層物により、ジャケット３、ジレ６、背部プロテクタ１８の支持ベースから成る構造物のような複合材料製構造物、すなわちファイバ光学系を組み込んだ全体の製造過程が、簡単になり、改善される。
こうしたことすべてが、最小重量、高い構造上の効率、品質の改良点を有する構造物を、概して有利に使用できることを示している。ちなみに、ファイバ光学系は、電子ユニット５の光・電子式装置に接続されることで、光信号がセンサから出力され、ファイバ光学系内を伝送され、分析される。該ファイバ光学系は、必要なパラメータ関連の情報を伝送する。
本発明によれば、縫合区画１０は、或る張力値でジャケット３の組み合わせ部品間を結合する縫い目の破断が可能になるように予め設定されており、これによって、ジレ６と一体に設けられたポケット９，１２，１５に対し膨張する自由が与えられ、モータバイク乗員の突然の車両からの危険な転落のさいに、即座に保護装置が起動される。
【００１５】
他方、ジャケット３には、ジレ６と膨張可能なポケット９，１２，１５とを一体結合する抵抗性のある縫い目を有する連続的な縫合区画８が設けられており、該ポケットは、膨張時に圧力閾値を超えることで発生する張力状態に耐えるように予め定めた多孔度を有する２層織物で造られている。
更に、脊柱保護用の背部プロテクタ構成部材１６，１９が備えられ、該構成部材は、好ましくはポリマー材料製であり、事実上剛性の構造を有し、十分に軟質の複合材料製ベース１８に好ましくは一体に支持されている。このように形成された背部プロテクタは、全保護構造物を安定化するために、モータバイク乗員の身体を囲むように予め設えられたバンド１４で着用できる。
【００１６】
胸部及び腰部の脊柱を保護する構成部材１６，１９は、双方が結合部１１を介して組み立てられることで、モータバイク乗員の活動時に（好ましくはスポーツ関連の）前方への乗員の身体の転回が容易になる。
このように構成された本発明による保護衣は、転倒及び／又は傷害物への衝突後に、容易に推測される効果を発揮する。該保護衣は、その構成要素が極めて簡単で、一部は技術上周知のものである。更に、前記保護衣は、容易に製造、適用、使用が可能である。
保護衣３は、使用者（図示せず）に着用され、乗員の視野内の操作キー４とディスプレー２とにより電子ユニット５を励起するように初期化されている。ディスプレー２は、全保護構造物の状態をオンラインで表示し、報知する。
【００１７】
突発事故により、多少の差はあれ激しい転倒時及び／又は種々の性質や形状の傷害物への危険な衝突時に、即座に加速センサが、差し迫った危険を検知し、数ミリ秒以内にガス源１の電磁弁を電気パルスでトリガする。これにより、ガス源は、ポケット９，１２，１５の膨張させる。ポケットは、モータバイク乗員を取り囲み、危険な状況で保護動作を発揮することで、傷害物に対する人体の衝撃を緩衝する。
背部プロテクタ１６，１９が事実上剛性の構造物であることで、急激な膨張時に乗員の身体に加わる危険な圧縮力を制限できる。
更に、膨張可能なポケット９，１２，１５は、弾性的かつ低比重の固有の性質に加えて、有効な特質として或る一定の多孔度を有しているので、好ましくは不活性のガスが、衝撃発生中に流出することができ、衝撃を緩衝し、発生した膨張が或る一定時間後に除去される。
【００１８】
好ましくは、ガス源１は、ポケット９，１２，１５と背部プロテクタ構造物１６，１８，１９との間に固定配置され、種々の傷害物に対する激突時に乗員の身体が最大限に保護される。
他方、加速センサは、電子ユニット５の支持体内へ拘束され組み込まれた弾性的な単層、すなわち異なる層上に形成される電荷発生デバイスを含んでいる。この電荷発生デバイスは、厚膜技術により形成され、基層と、圧電特徴を有する連続誘電カバー層と、これらの間に設けた１対のインターデジタル電極形式の中間導電層とを含んでいる。
加速センサは、好ましくは、簡単な印刷処理により次のペースト（インク）層を付着させることにより得られるもので、公知の機械式センサに比して極めて反応時間の短い高度に簡易化された加速センサである。したがって、該加速センサは、ジャケット３に組み込まれる電子ユニット５に極めて簡単に適用できる。
【００１９】
加速センサは、受動式安全デバイスであり、言い換えると車両の衝突時に乗員に及ぼされる危険を最小化する動作をトリガすることが知られている。該センサは、予め決めた或る一定閾値を超える衝撃時にのみ、極めて短時間にわたり安全装置（膨張用の圧縮ガス発生器）を起動させねばならない。したがって、電子ユニット５に組み込まれた前記センサは、まず第１に、車両の加速の変化を検知し、特に急激であっても正常な駆動、又は傷害を発生させない小さな衝撃による加速か、実際の事故による加速かを識別できなければならない。
もとより、前記センサは、乗員が保護されるのが望ましい以上、極めて短時間以内に、すなわち乗員に傷害が発生する前に、応動可能でなければならない。加えて、前記加速センサは、機能不全に陥ることなく、時間がたつにつれて高い信頼性レベルが失われるようであってはならない。機能不全は、言うまでもなく、安全分野では特に望ましくない。
【００２０】
事実、長期にわたる実験の後、本発明人は、前記センサを組み込んだ、好ましいポリマー母材製の電子ユニット５を形成し、該センサは、時間がたっても申し分のない保護動作を生じさせ、製造費も妥当であるため、それの適用は、現在のように、高級車両のみに限られなくなる。
したがって、本出願人の目的は、極めて短い応動時間を有し、安価で信頼性の高い、衝撃検知装置に有効に使用可能な加速センサを提供することであった。該衝撃検知装置は、エンジン付車両分野または同様の危険分野の受動式安全デバイスおよび装置を起動するものである。
【００２１】
実際に製造する場合、該加速センサは、ケーブル７、ファイバ光学系、保護装置操作用ファイバ光学センサのいずれかとの接続回路を励起するシールドケーブルをもって完成する。積層状の検知素子により、加速センサは、注目すべき指向特徴を有している。したがって、例えば、或る決められた方向からの加速に限って検知するが可能である。あるいはまた、本発明の実用的な実施例の場合には、各直交方向に２つ以上のセンサを配置し、それらからの電子ユニット５への出力信号を適宜に処理することで、加速の生じた正確な方向を検知し、事故や衝突に対し十分に満足のゆく応動を示す保護装置の好適制御が可能である。最後に、該加速センサの高度な指向性により、より高度な使用も可能である。その場合には、異なる保護装置が、時間経過にしたがった加速勾配に応じてのみならず、衝撃の方向に応じても、動作せしめられる。
【００２２】
したがって、例えば、モータバイク乗員と車両との間の加速センサ、並びにジレ及びジャケットの複合繊維構造物の内側に組み込まれるのが好ましい導電性ファイバ又はファイバ光学系は、別様に実施可能だが、技術上既に公知なので、説明は省略する。
更に、この保護構造物の回路も、公知技術により別様に実施可能なので、図示及び説明を省略する。
もちろん、原解決策によりここに提案された発明は、例として開示されたこの保護衣の実施例に限定されるものではなく、同じ原理から派生し、構成形式が異なるあらゆる変化形を包含するものである。特に保護、制御、実用上の形式の実施のための技術的に等価の解決策は、すべて本発明の保護範囲に含まれるものである。
【図面の簡単な説明】
【図１】  ディスプレー及び機能操作キーを備えた電子ユニットを含むジャケットの略示斜視図。該電子ユニットは、ジャケットに組み込まれモータバイク乗員の視野内に配置されている。
【図２】  たわみ可能な複合材料製のジレを、その輪郭がよく分かるように平面的に示す略示図。
【図３】  抵抗性を有する２層織物製の３つの膨張可能なポケットの図。ポケットのうちの１個は中央の背部カバー、２個は側部ポケットであり、各々がガス発生器を収容している。
【図４】  図２のジレを、図３の膨張可能なポケットに重ねた状態で示す略示図。
【図５】  脊柱保護用背部プロテクタの略示図で、膨張用ガス発生器、該発生器を位置決めするため固定部材により固定されたポケット、モータバイク乗員の身体を取り囲むように予め設えられた１対のバンドの各配置を示す図。
【図６】  図２のジレ、図３の膨張可能なポケット、図５の圧縮ガス源を有する背部プロテクタを組み合わせた組立体の略示図。
【図１】
0004820046.tif 000002
【図２】
0004820046.tif 000003
【図３】
0004820046.tif 000004
【図４】
0004820046.tif 000005
【図５】
0004820046.tif 000006
【図６】
0004820046.tif 000007